(57)【要約】【課題】手持ち工具の先端を施工面の位置の変化に追従させ、かつ手持ち工具の先端を施工面に対して常に押圧された状態で支持することが可能な手持ち工具の作業用支持装置および支持方法の提供。【解決手段】手持ち工具Ｔが先端部に装着された支持ロッド３を、所定長さの支柱２に対して伸縮自在に設け、支柱２の基端部を支持面に当接するとともに、支持ロッド３を支柱２に対して伸長方向に圧縮ばね４により付勢し、手持ち工具Ｔの先端をはつり面Ｃに対して押圧することにより、はつり作業中、手持ち工具Ｔの先端がはつり面Ｃの高さの変化に追従し、手持ち工具Ｔの先端がはつり面Ｃに対して常に押圧された状態で支持されるので、はつり作業中の作業員の負担を軽減することが可能となる。【選択図】図３
2014065141.tif 000002
【特許請求の範囲】
【請求項１】
所定長さの支柱と、
手持ち工具が先端部に装着される支持ロッドであり、前記支柱に対して伸縮自在に設けられた支持ロッドと、
前記支持ロッドを前記支柱に対して伸長方向に付勢する圧縮ばねと
を含む手持ち工具の作業用支持装置。
【請求項２】
前記支柱は、伸縮可能である請求項１記載の手持ち工具の作業用支持装置。
【請求項３】
前記支持ロッドは、前記支柱が進退可能に挿入される筒状であり、
前記圧縮ばねは、前記支持ロッドの筒状内に挿入され、前記支柱の先端部により圧縮されるものである
請求項１または２に記載の手持ち工具の作業用支持装置。
【請求項４】
前記支柱は、前記支持ロッドの基端部が進退可能に挿入される筒状であり、
前記圧縮ばねはコイル圧縮ばねであり、前記支持ロッドが圧縮ばねの内側に挿通され、前記支持ロッドの先端部と前記支柱との間で圧縮されるものである
請求項１または２に記載の手持ち工具の作業用支持装置。
【請求項５】
手持ち工具が先端部に装着された支持ロッドを、所定長さの支柱に対して伸縮自在に設け、前記支柱の基端部を支持面に当接するとともに、前記支持ロッドを前記支柱に対して伸長方向に圧縮ばねにより付勢し、前記手持ち工具の先端を施工面に対して押圧することを特徴とする手持ち工具の作業用支持方法。
【発明の詳細な説明】
【技術分野】
【０００１】
本発明は、エアーチッパー、電動ピック、エアードリル、電動ドリルやバキュームブラストマシン等の手持ち工具によって、はつり、削孔やブラスト等の作業する際、手持ち工具を支持して作業員の負担を軽減する手持ち工具の作業用支持装置および支持方法に関する。
【背景技術】
【０００２】
従来、橋梁やトンネル等の各種コンクリート構造物のはつり作業は、作業員がエアーチッパーや電動ピック等の手持ち工具を手で保持しながら行っている。しかし、かかる手持ち工具を所要の高さで所要の方向に向けた状態にして保持することは、作業員の負担が大きい。特に、橋梁の床版下面等をはつる場合など、手持ち工具を上に向けて保持したまま行うはつり作業は重労働である。
【０００３】
そこで、このようなはつり作業の負担を軽減するものとして、例えば特許文献１には、所要長さの支柱体が、支柱体基部と、この支柱体基部内に嵌挿固定されたエアシリンダと、このエアシリンダの伸縮ロッドの先端に固定され、当該伸縮ロッドの伸縮により支柱体基部に対して伸縮する伸縮ステーとからなり、伸縮ステーの先端に手持ち工具用自在継手を設けるとともに、支柱体基部の基端に支柱体支持用自在継手を設け、エアシリンダの伸縮ロッドが、伸縮ステーの先端部に設けられた切替弁の操作により伸縮する手持ち工具の作業用支承装置が開示されている。
【先行技術文献】
【特許文献】
【０００４】
【特許文献１】特許第４４３１０１１号公報
【発明の概要】
【発明が解決しようとする課題】
【０００５】
上記作業用支承装置では、手持ち工具用自在継手に手持ち工具を取り付けて、支柱体支持用自在継手の台座部を適宜の場所に接地させるとともに、一方の手で伸縮ステーの把持部を把持し、他方の手で手持ち工具の把持部を把持することにより、手持ち工具の荷重を支承させながら所望のはつり作業を行うことが可能であるが、エアシリンダの伸縮ロッドの伸縮は切替弁を操作して行わなければならない。
【０００６】
実際のはつり作業では、はつり面の高さが作業の進行に伴って常に変化するため、エアシリンダの伸縮ロッドを常に伸縮させていなければ、そのはつり面に沿って手持ち工具の先端をはつり面に接触させることができなくなる。そのため、上記作業用支承装置では、エアシリンダの伸縮ロッドの切替弁の操作をはつり作業の最中ずっと継続して行わなければならなくなる。
【０００７】
そこで、本発明においては、手持ち工具の先端をはつり等の作業の施工面の位置の変化に追従させ、かつ手持ち工具の先端を施工面に対して常に押圧された状態で支持することが可能な手持ち工具の作業用支持装置および支持方法を提供することを目的とする。
【課題を解決するための手段】
【０００８】
本発明の手持ち工具の作業用支持装置は、所定長さの支柱と、手持ち工具が先端部に装着される支持ロッドであり、支柱に対して伸縮自在に設けられた支持ロッドと、支持ロッドを支柱に対して伸長方向に付勢する圧縮ばねとを含むものである。
【０００９】
また、本発明の手持ち工具の作業用支持方法は、手持ち工具が先端部に装着された支持ロッドを、所定長さの支柱に対して伸縮自在に設け、支柱の基端部を支持面に当接するとともに、支持ロッドを支柱に対して伸長方向に圧縮ばねにより付勢し、手持ち工具の先端を施工面に対して押圧することを特徴とする。
【００１０】
これらの発明によれば、エアーチッパー、電動ピック、エアードリル、電動ドリルやバキュームブラストマシン等の手持ち工具を支持ロッドの先端部に装着し、支柱の基端部を支持面に当接すると、圧縮ばねにより支持ロッドが支柱に対して伸長方向に付勢される。このとき、支柱の長さを、圧縮ばねによって手持ち工具の先端がはつり、削孔やブラスト等の作業の施工面に対して押圧されるように設定することにより、作業中、手持ち工具の先端が支持面から施工面までの距離の変化に追従し、手持ち工具の先端が施工面に対して常に押圧された状態で支持される。
【００１１】
なお、支柱の長さは、支柱の基端部の支持面から施工面までの距離に応じて設定すれば良く、予め複数種類の長さの支柱を準備して適宜交換することも可能であるが、支柱は伸縮可能であることが望ましい。これにより、支柱の長さを、支柱の基端部の支持面から施工面までの距離に応じて適宜変化させることが可能となる。
【発明の効果】
【００１２】
（１）手持ち工具が先端部に装着された支持ロッドを、所定長さの支柱に対して伸縮自在に設け、支柱の基端部を支持面に当接するとともに、支持ロッドを支柱に対して伸長方向に圧縮ばねにより付勢し、手持ち工具の先端を施工面に対して押圧することにより、はつりや削孔などの作業中、エアーチッパー、電動ピック、エアードリル、電動ドリル、バキュームブラストマシン等の手持ち工具の先端が支持面から施工面までの距離すなわち施工面の位置の変化に追従し、手持ち工具の先端が施工面に対して常に押圧された状態で支持されるので、作業中の作業員の負担を軽減することが可能となる。
【００１３】
（２）支柱が伸縮可能であることにより、支柱の長さを、支柱の基端部の支持面から施工面までの高さに応じて適宜変化させることが可能となり、作業をより効率良く行うことが可能となる。
【図面の簡単な説明】
【００１４】
【図１】本発明の実施の形態における手持ち工具の作業用支持装置の正面図である。
【図２】図１のＡ矢視図である。
【図３】図１の手持ち工具の作業用支持装置の使用状態を示す説明図である。
【図４】本発明の手持ち工具の作業用支持装置の別の実施形態を示す正面図である。
【図５】図４のＢ部の拡大断面図である。
【発明を実施するための形態】
【００１５】
図１は本発明の実施の形態における手持ち工具の作業用支持装置の正面図、図２は図１のＡ矢視図である。図１において、本発明の実施の形態における手持ち工具の作業用支持装置１は、所定長さの支柱２と、支柱２に対して伸縮自在に設けられた支持ロッド３と、支持ロッド３を支柱２に対して伸長方向に付勢する圧縮ばね４とから構成される。支持ロッド３の先端部には、エアーチッパーや電動ピック等の手持ち工具Ｔ（図３参照。）を装着する装着部５が設けられている。
【００１６】
支柱２は、筒状の本体６と、本体６内に挿入され、下方へ進退可能なロッド７とから構成されて、伸縮可能となっている。本体６には、ロッド７の進退位置を固定するためのピン（図示せず。）を挿入するための複数の挿入孔６ａが所定間隔で形成されている。一方、ロッド７側には、本体６の挿入孔６ａに対応する固定孔（図示せず。）が形成されている。これにより、ロッド７の進退位置に応じて、この固定孔を対応する本体６の挿入孔６ａの位置に合わせ、ピンを挿入することにより、ロッド７の進退位置を固定することが可能となっている。なお、本体６は運搬しやすいように分解式とすることも可能である。
【００１７】
圧縮ばね４は、本実施形態においてはコイル圧縮ばねである。支持ロッド３は圧縮ばね４の内側に挿通され、支持ロッド３の基端部３ａは支柱２の上部に進退可能に挿入されている。圧縮ばね４は、支持ロッド３の先端部に設けられた装着部５の下端部５ａと、支柱２の上端部２ａとの間で圧縮されることにより、支持ロッド３を支柱２に対して伸長方向に付勢するようになっている。
【００１８】
装着部５は、図２に示すように、手持ち工具Ｔ（図３参照。）が着脱可能に取り付けられる環状の固定部８と、固定部８を上下に揺動可能に支持する台座部９とから構成される。台座部９は、支持ロッド３の先端部に固定される。なお、本実施形態においては、この台座部９が固定された支持ロッド３の基端部３ａが、支柱２の本体６に対して軸線方向周りに回転自在となっているが、台座部９が支持ロッド３の先端部で回転するように構成してもよい。
【００１９】
次に、上記構成の作業用支持装置１の使用方法について説明する。図３は図１の手持ち工具Ｔの作業用支持装置１の使用状態を示す説明図である。
【００２０】
上記構成の作業用支持装置１では、手持ち工具Ｔを環状の固定部８に装着し、支柱２の基端部を支持面である地面Ｇに当接する。このとき、支柱２の長さを、圧縮ばね４によって手持ち工具Ｔの先端が施工面であるはつり面Ｃに対して押圧されるように設定する。これにより、支持ロッド３は、圧縮ばね４によって支柱２に対して伸長方向に付勢されるので、作業員が手持ち工具Ｔを手に持ってはつり作業を行っている最中、手持ち工具Ｔの先端が地面Ｇからはつり面Ｃまでの高さの変化に追従し、手持ち工具Ｔの先端がはつり面Ｃに対して常に押圧された状態で支持され、はつり作業中の作業員の負担が軽減される。
【００２１】
また、本実施形態における支柱２は伸縮可能であるため、この支柱２の長さを、支柱２の基端部の地面Ｇからはつり面Ｃまでの高さに応じて適宜変化させることが可能となっており、はつり作業を効率良く行うことが可能となっている。なお、支柱２の長さは、支柱２の基端部の地面Ｇからはつり面Ｃまでの高さに応じて設定すれば良いため、予め複数種類の長さの支柱を準備して適宜交換するようにしても良い。
【００２２】
なお、上記実施形態では、エアーチッパーや電動ピック等の手持ち工具Ｔによるはつり作業について説明したが、本実施形態における作業用支持装置１は、電気ドリルやエアードリル等の手持ち工具Ｔを用いて、橋梁の床版下面や建築物のスラブ下面等を削孔する場合にも用いることが可能である。この作業も同様に、手持ち工具Ｔを上に向けて保持したままでの削孔作業であり、重労働であるが、本実施形態における作業用支持装置１を用いることで、作業員の負担を大きく軽減することが可能である。また、バキュームブラストマシン等の手持ち工具Ｔを用いて、橋梁の床版下面や建築物のスラブ下面等をブラストする場合にも用いることが可能である。
【００２３】
また、上記実施形態では、特に有効な上向きでのはつり作業、削孔作業およびブラスト作業について説明したが、横向きでの作業についても同様に用いることが可能である。この場合、支柱２の基端部を支持面となる一方の壁面に当接し、施工面である他方の壁面のはつり作業、削孔作業やブラスト作業を行うと、手持ち工具Ｔの先端が壁面間の距離の変化に追従し、手持ち工具の先端が施工面に対して常に押圧された状態で支持されるので、作業中の作業員の負担が軽減される。
【００２４】
次に、本発明の手持ち工具の作業用支持装置のより好ましい実施形態について説明する。図４は本発明の手持ち工具の作業用支持装置の別の実施形態を示す正面図、図５は図４のＢ部の拡大断面図である。なお、図４において、前述の実施形態と共通する部分については同一符号を付し、その詳細な説明を省略する。
【００２５】
図４に示す手持ち工具の作業用支持装置１０は、所定長さの支柱１１と、支柱１１に対して伸縮自在に設けられた支持ロッド１２と、支持ロッド１２を支柱１１に対して伸長方向に付勢する圧縮ばね１３とから構成される。支持ロッド１２の先端部には、手持ち工具Ｔを装着する前述の装着部５が設けられている。
【００２６】
支柱１１は、筒状の本体１４と、本体１４内に挿入され、下方へ進退可能な前述のロッド７とから構成されていて、伸縮可能となっている。本体１４には、前述した複数の挿入孔６ａが形成されており、ロッド７の進退位置に応じて、ロッド７の固定孔７ａを対応する本体１４の挿入孔６ａの位置に合わせ、ピンを挿入することにより、ロッド７の進退位置を固定することが可能となっている。
【００２７】
支持ロッド１２は、支柱１１が進退可能に挿入される筒状のパイプにより形成されている。圧縮ばね１３は、支持ロッド１２の筒状内に挿入される。支柱１１の先端部には、図５に示すように、ばね受け１１ａが設けられている。圧縮ばね１３は、この支柱１１の先端部のばね受け１１ａと、支持ロッド１２の筒状内の上端部に設けられたばね受け１２ａとの間で圧縮される。
【００２８】
また、支持ロッド１２の下端部には、支柱１１が抜けないようにするためのストッパ１２ｂが設けられている。支柱１１が支持ロッド１２内で下がった際、支柱１１のばね受け１１ａがストッパ１２ｂに当接することで、支柱１１は支持ロッド１２内に保持され、支持ロッド１２から抜けて脱落することがない。
【００２９】
上記構成の手持ち工具の作業用支持装置１０によれば、前述と同様に、手持ち工具Ｔを環状の固定部８に装着し、支柱１１の基端部を支持面である地面Ｇに当接し、支柱１１の長さを、圧縮ばね１３によって手持ち工具Ｔの先端が施工面であるはつり面Ｃに対して押圧されるように設定して、はつり作業を行うことで、手持ち工具Ｔの先端が地面Ｇからはつり面Ｃまでの高さの変化に追従し、手持ち工具Ｔの先端がはつり面Ｃに対して常に押圧された状態で支持され、はつり作業中の作業員の負担が軽減される。
【００３０】
特に、この作業用支持装置１０では、圧縮ばね１３が支持ロッド１２の筒状内にあり、外部に露出していないため、伸縮時に手等が挟まれる心配がなく、作業員は作業に集中することができる。また、支柱１１は、ばね受け１１ａがストッパ１２ｂに当接することによって、支持ロッド１２から抜けて脱落する心配もないため、作業員は作業により集中することができる。
【産業上の利用可能性】
【００３１】
本発明は、エアチッパー、電動ピック、エアードリル、電動ドリルやバキュームブラストマシン等の手持ち工具によって作業する際の手持ち工具の作業用支持装置および支持方法として有用であり、特に、橋梁の床版下面やスラブ下面等のはつり作業、削孔作業やブラスト作業など、手持ち工具を上に向けて保持したまま行う作業に好適である。
【符号の説明】
【００３２】
１，１０  作業用支持装置
２，１１  支柱
３，１２  支持ロッド
４，１３  圧縮ばね
５  装着部
６，１４  本体
７  ロッド
８  固定部
９  台座部
１１ａ，１２ａ  ばね受け
１２ｂ  ストッパ
【図１】
2014065141.tif 000003
【図２】
2014065141.tif 000004
【図３】
2014065141.tif 000005
【図４】
2014065141.tif 000006
【図５】
2014065141.tif 000007